(57)【要約】【課題】熱交換効率を向上させることができ、かつ、据付作業が繁雑になったり、設置できなくなったりするおそれを低減することができる壁埋込型空調室内ユニットの提供。【解決手段】空調室内ユニット１０は、室内の側壁Ｈに埋め込まれて設置される空調室内ユニットであって、ケーシング１２と、室内熱交換器と、室内熱交換器から延びる第２補助冷媒配管３６と、第２補助冷媒配管３６と空調室外ユニットから延びる連絡配管３２とを接続するための接続部３３と、ケーシング１２の左右方向を長手方向とする略直方体形状を呈する電装品箱４０と、を備える。接続部３３は、ケーシング１２の上側に位置している。さらに、電装品箱４０は、ケーシング１２の上側であり、かつ、第２補助冷媒配管３６と連絡配管３２とが接続された後の接続部３３の位置よりも正面側の所定位置に配置される。【選択図】図３
2012207801.tif 000002
【特許請求の範囲】
【請求項１】
室内の側壁に埋め込まれて設置される壁埋込型空調室内ユニットであって、
前記側壁内に設置された状態で、前記室内に面する正面側に吸い込み口が形成されているケーシング（２０）と、
前記ケーシング内に収納されており、前記吸い込み口から取り込まれる前記室内空気の熱交換を行う室内熱交換器（２１）と、
前記室内熱交換器から延びる補助配管と、
前記補助配管と空調室外ユニットから延びる連絡配管（４２）とを接続するための接続部と、
前記ケーシングの左右方向を長手方向とする略直方体形状を呈する電装品箱（３０）と、
を備え、
前記接続部は、前記ケーシングの上側に位置しており、
前記電装品箱は、前記ケーシングの上側であり、かつ、前記補助配管と前記連絡配管とが接続された後の前記接続部の位置よりも正面側の第１所定位置に配置される、
壁埋込型空調室内ユニット（１０）。
【請求項２】
前記電装品箱の左右方向の寸法は、前記ケーシングの左側端部、又は、前記ケーシングの右側端部から前記補助配管と前記連絡配管とが接続された後の前記接続部までの寸法よりも短い、
請求項１に記載の壁埋込型空調室内ユニット。
【請求項３】
前記電装品箱は、前記ケーシングに着脱自在に取り付けられている、
請求項１又は２に記載の壁埋込型空調室内ユニット。
【請求項４】
前記電装品箱は、前記ケーシング内から延びる電線に接続されており、前記電線に接続された状態で、前記第１所定位置よりも前記接続部から離れた第２所定位置に移動可能である、
請求項１又は２に記載の壁埋込型空調室内ユニット。
【発明の詳細な説明】
【技術分野】
【０００１】
本発明は、室内の側壁に埋め込まれて設置される壁埋込型空調室内ユニットに関する。
【背景技術】
【０００２】
従来より、室内の側壁に埋め込まれて設置される壁埋込型空調室内ユニットがある。壁埋込型の空調室内ユニットには、例えば、特許文献１（特開平９−７９６５８号公報）に開示されているように、ケーシング内に、電装品の収納された電装品箱や室内熱交換器が収納されており、電装品箱が室内熱交換器の側方に配置されているものが多い。
【発明の概要】
【発明が解決しようとする課題】
【０００３】
ところで、室内熱交換器による熱交換効率を向上させるためには、室内熱交換器のサイズを大きくすることが考えられる。そこで、従来の壁埋込型空調室内ユニットにおいて室内熱交換器の左右方向の寸法を長くすることで室内熱交換器のサイズを大きくしようとすると、室内熱交換器の収納されるケーシングの左右方向の寸法を長くしなければならず、壁埋込型空調室内ユニットのサイズが従来よりも大きくなってしまう。そして、このサイズの大きくなった壁埋込型空調室内ユニットを、従来の壁埋込型空調室内ユニットの設置されていた室内の側壁に設置しようとすると、側壁に設けられている開口を更に広げる作業が必要となり、据付作業が煩雑になるおそれがある。また、従来の壁埋込型空調室内ユニットが半間の柱間に設置されていた場合には、従来よりもサイズの大きくなった壁埋込型空調室内ユニットを設置しようとしても、柱間を広げることができないために、設置できなくなるおそれがある。
【０００４】
そこで、本発明の課題は、熱交換効率を向上させることができ、かつ、据付作業が繁雑になったり、設置できなくなったりするおそれを低減することができる壁埋込型空調室内ユニットを提供することにある。
【課題を解決するための手段】
【０００５】
本発明の第１観点に係る壁埋込型空調室内ユニットは、室内の側壁に埋め込まれて設置される壁埋込型空調室内ユニットであって、ケーシングと、室内熱交換器と、補助配管と、接続部と、電装品箱と、を備える。ケーシングには、吸い込み口が形成されている。また、吸い込み口は、ケーシングが側壁内に設置された状態で、室内に面する正面側に形成されている。室内熱交換器は、ケーシング内に収納されており、吸い込み口から取り込まれる室内空気の熱交換を行う。補助配管は、室内熱交換器から延びている。接続部は、補助配管と、空調室外ユニットから延びる連絡配管とを接続するためのものである。電装品箱は、ケーシングの左右方向を長手方向とする略直方体形状を呈する。また、接続部は、ケーシングの上側に位置している。さらに、電装品箱は、ケーシングの上側であり、かつ、補助配管と連絡配管とが接続された後の接続部の位置よりも正面側の第１所定位置に配置される。
【０００６】
本発明の第１観点に係る壁埋込型空調室内ユニットでは、電装品箱は、ケーシングの上側であり、かつ、補助配管と連絡配管とが接続された後の接続部の位置よりも正面側の第１所定位置に配置される。このため、従来の壁埋込型空調室内ユニットにおいて電装品箱が設置されていた部分まで室内熱交換器の寸法を延ばすことができるため、ケーシングの左右方向の寸法を長くすることなく、室内熱交換器の左右方向の寸法を長くすることができる。
【０００７】
これによって、熱交換効率を向上させることができ、かつ、据付作業が繁雑になったり、設置できなくなったりするおそれを低減することができる。
【０００８】
本発明の第２観点に係る壁埋込型空調室内ユニットは、第１観点の壁埋込型空調室内ユニットにおいて、電装品箱の左右方向の寸法は、ケーシングの左側端部から補助配管と連絡配管とが接続された後の接続部までの寸法、又は、ケーシングの右側端部から補助配管と連絡配管とが接続された後の接続部までの寸法よりも短い。このため、接続部の正面に電装品箱が位置しないように第１所定位置を設定することができる。
【０００９】
これによって、冷媒配管と連絡配管との接続作業の作業性を向上させることができる。
【００１０】
本発明の第３観点に係る壁埋込型空調室内ユニットは、第１観点又は第２観点の壁埋込型空調室内ユニットにおいて、電装品箱は、ケーシングに着脱自在に取り付けられている。このため、この壁埋込型空調室内ユニットでは、冷媒配管と連絡配管とを接続した後に、電装品箱をケーシングに取り付けることができる。したがって、冷媒配管と連絡配管とを接続するための作業スペースを確保することができるため、冷媒配管と連絡配管との接続作業時の作業性を向上させることができる。
【００１１】
本発明の第４観点に係る壁埋込型空調室内ユニットは、第１観点又は第２観点の壁埋込型空調室内ユニットにおいて、電装品箱は、ケーシング内から延びる電線に接続されており、電線に接続された状態で、第１所定位置よりも接続部から離れた第２所定位置に移動可能である。このため、この壁埋込型空調室内ユニットでは、冷媒配管と連絡配管とを接続する際に、電装品箱を第２所定位置に移動させることができる。したがって、接続部の正面側に作業スペースを確保することができるため、冷媒配管と連絡配管との接続作業時の作業性を向上させることができる。
【発明の効果】
【００１２】
本発明の第１観点に係る壁埋込型空調室内ユニットでは、熱交換効率を向上させることができ、かつ、据付作業が繁雑になったり、設置できなくなったりするおそれを低減することができる。
【００１３】
本発明の第２観点に係る壁埋込型空調室内ユニットでは、冷媒配管と連絡配管との接続作業の作業性を向上させることができる。
【００１４】
本発明の第３観点に係る壁埋込型空調室内ユニットでは、冷媒配管と連絡配管との接続作業時の作業性を向上させることができる。
【００１５】
本発明の第４観点に係る壁埋込型空調室内ユニットでは、冷媒配管と連絡配管との接続作業時の作業性を向上させることができる。
【図面の簡単な説明】
【００１６】
【図１】本発明の一実施形態に係る空調室内ユニットの正面図。
【図２】本発明の一実施形態に係る空調室内ユニットの縦断面図。
【図３】本発明の一実施形態に係る空調室内ユニットの上面図。
【図４】（ａ）従来の空調室内ユニットの正面図（前面グリル及び化粧板は省略）、（ｂ）本発明の一実施形態に係る空調室内ユニットの正面図（前面グリル及び化粧板は省略）。
【図５】従来の空調室内ユニットの縦断面図。
【図６】変形例Ａに係る空調室内ユニットの据付作業を説明するための図。
【図７】変形例Ｂに係る空調室内ユニットの上面図。
【図８】参考例Ａに係る空調室内ユニットの据付作業を説明するための図。
【図９】（ａ）本発明の一実施形態に係る空調室内ユニットの概略縦断面図、（ｂ）参考例Ｂに係る空調室内ユニットの概略縦断面図。
【発明を実施するための形態】
【００１７】
以下、図面を参照しながら、本発明の一実施形態に係る空調室内ユニット１０について説明する。なお、以下の実施形態は、本発明の具体例であって、本発明の技術的範囲を限定するものではない。
【００１８】
（１）空調室内ユニットの構成
空調室内ユニット１０は、室内の側壁Ｈ内に埋め込まれて設置されるタイプの空気調和機の室内ユニットである。空調室内ユニット１０は、図１及び図２に示すように、ケーシング１１と、室内熱交換器２０と、補助配管３１と、接続部３３と、電装品箱４０と、化粧板１２と、を備えている。以下、空調室内ユニット１０の構成について説明する。
【００１９】
（１−１）ケーシング
ケーシング１１は、フレーム１３と、前面グリル１４と、を有する。フレーム１３は、正面側（前側）に開口１５を有する略長方形状の箱状の部材である。なお、本実施形態におけるフレーム１３の正面側とは、ケーシング１１が室内の側壁Ｈ内に設置された状態で室内に面する側を意味している。フレーム１３の内部には、吸い込み空間１６ａと吹き出し空間１６ｂとが構成されている。
【００２０】
また、フレーム１３内には、クロスフローファン６０や室内熱交換器２０等が収納されている。クロスフローファン６０は、円筒形状を呈しており、周面には回転軸方向に羽根が設けられている。また、クロスフローファン６０は、回転駆動することによって、回転軸と交わる方向に空気流を生成する。このため、クロスフローファン６０は、室内の空気をフレーム１３内の吸い込み空間１６ａに吸い込ませるとともに、室内熱交換器２０との間で熱交換を行った後の空気を吹き出し空間１６ｂを通過させて室内に吹き出させることができる。
【００２１】
前面グリル１４は、フレーム１３の開口１５を覆うように、フレーム１３の正面側、すなわち、フレーム１３の前面に取り付けられる。また、前面グリル１４には、吸い込み口１７と吹き出し口１８とが設けられている。吸い込み口１７は、空調室内ユニット１０の長手方向、すなわち、水平方向に長い複数のスリット状の開口である。吸い込み口１７は、室内の空気をケーシング１１内に取り込むための開口であって、吸い込み空間１６ａと対向する位置に配置されている。また、吹き出し口１８は、前面グリル１４の下部に設けられており、吹き出し空間１６ｂと対向する位置に配置されている。また、吹き出し口１８近傍には、水平フラップ１９が設けられている。水平フラップ１９は、略長方形状の板状の部材であって、吹き出し口１８から吹き出される空気を案内する。具体的には、水平フラップ１９は、空調室内ユニット１０の長手方向に平行な回転軸を有しており、回転軸を中心に回転駆動されることによって、空気の案内方向を変更する。室内から吸い込み口１７を介してケーシング１１内に取り込まれた空気は、熱交換によって調和され、吹き出し口１８を通じて室内に吹き出される。
【００２２】
（１−２）室内熱交換器
室内熱交換器２０は、図２に示すように、クロスフローファン６０の前方を覆うように配置されている。また、室内熱交換器２０は、長手方向両端で複数回折り返されてなる伝熱管と、伝熱管が挿通する複数のフィン２１とから構成されている。室内熱交換器２０では、クロスフローファン６０の回転により吸い込み口１７から吸い込まれた空気と、伝熱管の内部を通過する冷媒との間で熱交換が行われる。また、伝熱管は、室内熱交換器２０の長手方向両端でＵ字型に折り返されている。さらに、室内熱交換器２０の伝熱管は、補助配管３１に接続されている。
【００２３】
（１−３）補助配管
補助配管３１は、室内熱交換器２０から延びる配管であり、空調室外ユニット（図示せず）の有する室外熱交換器から延びる連絡配管３２と接続される。補助配管３１及び連絡配管３２は、室内熱交換器２０と室外熱交換器とを接続して冷媒回路を構成する。また、補助配管３１は、冷媒回路中に冷媒を循環させるための液管３１ａ及びガス管３１ｂから構成されている。さらに、補助配管３１は、第１補助冷媒配管３５と、第２補助冷媒配管３６とを有している。第１補助冷媒配管３５は、室内熱交換器２０の側面から突出している伝熱管に接続されている。第２補助冷媒配管３６は、補助配管３１と連続している。なお、ここでは、第１補助冷媒配管３５とは、室内熱交換器２０の側方に位置している配管を指しており、第２補助冷媒配管３６とは、空調室内ユニット１０が側壁Ｈに据え付けられた状態で、フレーム天面１３ａの上側、すなわち、室内熱交換器２０の上方に取り回されて、ケーシング１１の左右方向に延びている配管を指している。
【００２４】
（１−４）接続部
接続部３３は、補助配管３１と連絡配管３２とを接続するためのものである。また、接続部３３は、第２補助冷媒配管３６の端部に配置されており、空調室内ユニット１０が側壁Ｈに据え付けられた状態で、フレーム天面１３ａの上側に配置される。なお、本実施形態では、接続部３３とは、第２補助冷媒配管３６の端部に配置されるフレアナット３３ａを指している。また、連絡配管３２は、室外熱交換器と室内熱交換器２０とを接続するための配管であって、液連絡配管３２ａとガス連絡配管３２ｂとから構成されている。液連絡配管３２ａ及びガス連絡配管３２ｂは、フレアナット３３ａによって、液管３１ａ及びガス管３１ｂにそれぞれ接続される。
【００２５】
（１−５）電装品箱
電装品箱４０は、略直方体形状を呈する箱状の部材であって、空調室内ユニット１０の備える各構成機器を駆動するためのコンデンサやトランジスタ等の部品や発光素子４１ａや受光素子等の部品が取り付けられている制御基板等の電装部品を収容している。また、発光素子４１ａは、表示部４１として機能するように、その一部が電装品箱４０から露出している。さらに、電装品箱４０の底面４０ａには電装部品に接続された配線を通すための電装品箱側開口（図示せず）が形成されている。配線の端部にはコネクタ（図示せず）が設けられており、ケーシング１１内から延びる配線のコネクタ（図示せず）と接続されることで、空調室内ユニット１０の備える各構成機器と電気的に接続される。電装品箱４０は、このような構成により、ケーシング１１に着脱自在に取り付けられている。
【００２６】
なお、本実施形態では、図２及び図３に示すように、空調室内ユニット１０が側壁Ｈに据え付けられた状態で、電装品箱４０は、フレーム天面１３ａの上側であって、第２補助冷媒配管３６及び接続部３３の位置よりも正面側、すなわち、第２補助冷媒配管３６及び接続部３３の位置よりも前側の所定位置（第１所定位置に相当）に配置されるものとする。また、電装品箱４０は、所定位置に配置された状態では、ケーシング１１の左右方向が長手方向となっている（図１及び図３参照）。
【００２７】
なお、本実施形態では、電装品箱４０の一部に表示部４１が設けられているが、これに限定されず、表示部４１を電装品箱４０とは別に設け、電装品箱４０と表示部４１とを離れた位置に配置してもよい。
【００２８】
（１−６）化粧板
化粧板１２は、室内に居るユーザから接続部３３や連絡配管３２が視認し難くなるように、接続部３３、連絡配管３２及び電装品箱４０の位置よりも前方に配置される細長い板状の部材である。また、化粧板１２は、空調室内ユニット１０の据付作業において、連絡配管３２と補助配管３１とを接続し、電装品箱４０を所定位置に配置した後にケーシング１１に固定される。なお、本実施形態では、化粧板１２の長手方向の寸法は、フレーム１３の左側端部から接続部３３までの寸法よりも大きく、かつ、化粧板１２の右側端部は、所定位置に配置された電装品箱４０の左側端部と重なる。また、化粧板１２がケーシング１１に固定されることで、電装品箱４０の前方への移動が規制される。
【００２９】
（２）空調室内ユニットの据付作業
次に、空調室内ユニット１０の据付作業について説明する。
【００３０】
まず、側壁Ｈに設けられた据付用開口の縁に沿うように据付枠８０を設置し、室内熱交換器２０等の収納されたフレーム１３を、据付枠８０の所定の位置に固定する。次に、第２補助冷媒配管３６をフレーム天面１３ａの上側に取り回し、フレアナット３３ａを用いて第２補助冷媒配管３６と連絡配管３２とを接続する。その後、電装品箱４０から延びる配線とフレーム１３内から延びる配線とを接続し、電装品箱４０をフレーム天面１３ａの所定位置に配置する。そして、化粧板１２をネジ止め等の手段でフレーム１３に取り付け、前面グリル１４をフレーム１３及び据付枠８０に固定することで、空調室内ユニット１０の据え付け作業が完了する。
【００３１】
（３）特徴
（３−１）
図４（ａ）は、従来の壁埋込型空調室内ユニット５１０の正面図であり、図４（ｂ）は、本実施形態に係る壁埋込型空調室内ユニット１０の正面図である。図５は、壁埋込型空調室内ユニット５１０の縦断面図である。なお、図４（ａ）において、符号５４１は表示部を示している。また、図４では、前面グリル及び化粧板を省略して描いている。
【００３２】
従来の壁埋込型の空調室内ユニット５１０において、室内熱交換器５２０の熱交換効率を向上させるために、室内熱交換器５２０の左右方向の寸法Ｌ２を長くしようとすると、室内熱交換器５２０の収納されているフレーム５１３の左右方向の寸法を長くする必要がある。そして、この左右方向の寸法Ｌ２が長くなった空調室内ユニットを、従来の壁埋込型空調室内ユニット５１０の設置されていた室内の側壁Ｈに設置しようとすると、側壁Ｈに設けられている開口を更に広げる作業が必要となり、据付作業が煩雑となる。また、従来の壁埋込型空調室内ユニット５１０が半間の柱間に設置されていた場合には、左右方向の寸法Ｌ２が長くなった空調室内ユニットを設置しようとしても、柱間を広げることができないために、設置できなくなるおそれがある。
【００３３】
そこで、本実施形態では、第２補助冷媒配管３６の出口位置を、従来の空調室内ユニット５１０の第２補助冷媒配管５３６の出口位置よりも背面側（後側）に設定し、少なくとも補助配管３１と連絡配管３２との接続時及び接続後には、接続部３３をフレーム１３の上側に配置している。さらに、電装品箱４０を、補助配管３１と連絡配管とが接続された後の接続部３３の位置よりも正面側の所定位置に配置している。このため、図４（ａ）及び図５に示すような従来の空調室内ユニット５１０において電装品箱５４０の設置されていた部分まで、室内熱交換器の寸法を延ばすことができるため、ケーシング１１の左右方向の寸法を長くすることなく、室内熱交換器２０の左右方向の寸法Ｌ１を長くすることができる。
【００３４】
これによって、熱交換効率を向上させることができ、かつ、据付作業が繁雑になったり、設置できなくなったりするおそれを低減することができている。また、熱交換効率の向上により、省エネ運転が可能となる。
【００３５】
また、従来の空調室内ユニット５１０において、熱交換効率を向上させるために、クロスフローファン５６０の風量を大きくすることが考えられるが、風量を大きくすると、クロスフローファン５６０の運転音が大きくなってしまう。さらに、室内熱交換器５２０の熱交換効率を向上させるために、サイズを変更せずに室内熱交換器５２０の性能を上げることが考えられるが、室内熱交換器５２０の構成が複雑になるおそれがある。
【００３６】
そこで、本実施形態では、電装品箱４０を第２補助冷媒配管３６及び接続部３３の位置よりも正面側に配置することで、ケーシング１１の左右方向の寸法を長くすることなく、室内熱交換器２０の左右方向の寸法Ｌ１を長くすることができるため、煩雑でない構成の室内熱交換器２０で、かつ、クロスフローファン６０の風量を大きくすることなく、熱交換効率を向上させることができている。
【００３７】
さらに、本実施形態では、電装品箱４０がケーシング１１の上側に配置されているため、ケーシング１１の左右方向の寸法を長くすることなく、クロスフローファン６０のファンロータの寸法を長くすることができる。したがって、クロスフローファン６０の径を大きくしなくても、風量を大きくすることができる。
【００３８】
（３−２）
本実施形態では、電装品箱４０は、空調室内ユニット１０が側壁Ｈに据え付けられた状態で、フレーム天面１３ａの上側に配置されている。このため、室内熱交換器２０で発生するドレン水が電装品箱４０に流れるおそれを低減することができている。
【００３９】
ところで、電装品箱がフレーム内部の吸い込み口近傍の空気流路内に配置されている場合、通風抵抗が大きくなり、風量が低下するおそれがある。そして、風量低下を補うためには、クロスフローファンの駆動量を大きくする必要がある。しかしながら、本実施形態では、第２補助冷媒配管３６、接続部３３、及び電装品箱４０が、フレーム天面１３ａの上側に配置されているため、吸い込み口近傍の空気流路において、第２補助冷媒配管３６、接続部３３、及び電装品箱４０による通風抵抗が生じない。これにより風量が低下するおそれを低減することができている。
【００４０】
（３−３）
本実施形態では、電装品箱４０が、ケーシング１１に着脱自在に取り付けられている。このため、空調室内ユニット１０の据付作業において、第２補助冷媒配管３６と連絡配管３２とを接続した後に、電装品箱４０から延びる配線とフレーム１３内から延びる配線とを接続して電装品箱４０をフレーム天面１３ａの所定位置に配置することができる。したがって、第２補助冷媒配管３６と連絡配管３２との接続作業を行うための作業スペースを十分に確保することができるため、接続作業の作業性を向上させることができている。
【００４１】
（４）変形例
（４−１）変形例Ａ
上記実施形態では、電装品箱４０がフレーム１３に着脱自在に取り付けられている。
【００４２】
これに代えて、フレームから延びる配線と電装品箱から延びる配線とが接続されている状態で、電装品箱を接続部の正面から移動させることができるようにしてもよい。
【００４３】
例えば、図６に示すように、電装品箱１４０が、支点を中心に回転自在なヒンジ構造を備えていてもよい。より詳しくは、電装品箱１４０の底面の右側端部に、配線の通る電装品箱側開口１４０ａａを設け、フレーム１１３のフレーム天面１１３ａにおいて、電装品箱１４０が所定位置に配置された状態で電装品箱側開口１４０ａａと対向する位置に配線の通るフレーム側開口１１３ｂを設けて、電装品箱１４０の回転にあわせて動くように配線にある程度の自由度をもたせることで、フレーム１１３内から延びる配線と電装品箱１４０から延びる配線とが接続されている状態で、電装品箱１４０を接続部３３の正面側から移動させることができる。
【００４４】
このような構成の空調室内ユニットを据え付ける場合、まず、側壁Ｈに設けられた据付用開口の縁に沿うように据付枠を設置し、電装品箱１４０内の電装部品と配線接続された状態のフレーム１１３を、据付枠の所定の位置に固定する。次に、電装品箱１４０を、図６に示すように、電装品箱側開口１４０ａａ及びフレーム側開口１１３ｂを通る配線を支点として、所定位置よりも接続部３３から離れる方向に回転移動させて（例えば、電装品箱１４０を、９０度回転移動させて）、所定位置とは異なる位置（第２所定位置に相当）に配置した後に、フレアナットを用いて第２補助冷媒配管３６と連絡配管３２とを接続する。その後、電装品箱１４０を所定位置に移動させ、化粧板をネジ止め等の手段でフレーム１１３に取り付ける。そして、前面グリルをフレーム１１３及び据付枠に固定することで、空調室内ユニットの据え付け作業が完了する。
【００４５】
このように、フレーム１１３内から延びる配線に接続された状態の電装品箱１４０を、所定位置よりも接続部３３から離れた位置に移動可能にすることで、第２補助冷媒配管３６と連絡配管３２とを接続するための作業スペースを確保することができる。この結果、第２補助冷媒配管３６と連絡配管３２との接続作業時の作業性を向上させることができる。また、電装品箱がケーシングに着脱自在に設けられている場合と比較して、配線端部にコネクタ等を設ける必要がなく簡易な構成となる。
【００４６】
なお、図６では、電装品箱１４０及びフレーム１１３の構成以外の構成は、上記実施形態と同様であるため、電装品箱１４０及びフレーム１１３の構成以外の構成については、上記実施形態と同様の符号を付している。
【００４７】
（４−２）変形例Ｂ
上記実施形態では、電装品箱４０が所定位置に設置されている場合には、接続部３３の正面に電装品箱４０が配置されている（図３参照）。
【００４８】
これに代えて、電装品箱が所定位置に設置されても、接続部の正面に電装品箱が配置されないように、第２補助冷媒配管が設計されていてもよい。例えば、図７に示すように、電装品箱４０の左右方向の寸法Ｌ３が、ケーシング１１の右側端部から接続部３３までの寸法Ｌ４よりも短くなるように、第２補助冷媒配管４３６が設計されていてもよい。このように第２補助冷媒配管４３６が設計されている場合には、接続部３３の正面側に電装品箱４０が配置されないように所定位置を設定することができる。したがって、電装品箱４０が所定位置に設置された状態であっても、第２補助冷媒配管４３６と連絡配管４３２とを接続するための作業スペースを確保することができるため、接続作業時の作業性を向上させることができる。なお、図７では、電装品箱４０の所定位置を、ケーシング１１の中央よりも右側に設定しているが、これに限定されず、ケーシング１１の左側端部から接続部までの寸法が電装品箱の左右方向の寸法よりも長くなるように第２補助冷媒配管が設計されている場合には、接続部の正面側に電装品箱が配置されないように、電装品箱の所定位置をケーシングの中央よりも左側に設定してもよい。
【００４９】
（５）参考例
（５−１）参考例Ａ
上記実施形態では、空調室内ユニット１０が側壁Ｈに据え付けられた状態で、接続部３３の位置よりも正面側（前側）に電装品箱４０が配置されている（図３参照）。
【００５０】
これに代えて、配管接続作業の作業性を向上させるために、接続部と電装品箱とが左右方向に並んで配置されていてもよい。例えば、図８に示すように、第２補助冷媒配管２３６の端部をくの字状に曲げて接続部３３をフレーム天面１３ａの前部に配置することで、第２補助冷媒配管２３６と連絡配管２３２との接続作業時の作業性を向上させることができる。
【００５１】
なお、図８では、第２補助冷媒配管２３６及び連絡配管２３２の構成以外の構成は、上記実施形態と同様であるため、第２補助冷媒配管２３６及び連絡配管２３２の構成以外の構成については、上記実施形態と同様の符号を付している。
【００５２】
（５−２）参考例Ｂ
上記実施形態では、図９（ａ）に示すように、電装品箱４０がフレーム天面１３ａの上側に配置されている。これに代えて、フレームの上部に配置されるのであれば、図９（ｂ）に示すように、電装品箱３４０がフレーム３１３の内部（フレーム天面３１３ａの下側）に配置されていてもよい。図９（ｂ）では、電装品箱３４０が室内熱交換器２０よりも上側に配置されているため、室内熱交換器２０で発生するドレン水が電装品箱３４０に流れるおそれを低減することができる。また、接続部３３の正面側に電装品箱３４０が位置していない場合には、第２補助冷媒配管３６と連絡配管３２とを接続するための十分な作業スペースを確保することができるため、接続作業時の作業性を向上させることができる。
【産業上の利用可能性】
【００５３】
本発明は、熱交換効率を向上させることができ、かつ、据付作業が繁雑になったり、設置できなくなったりするおそれを低減することができる発明であり、壁埋込型空調室内ユニットへの適用が有効である。
【符号の説明】
【００５４】
１０      空調室内ユニット
１２      ケーシング
１７      吸い込み口
２０      室内熱交換器
３３      接続部
３６，４３６  第２補助冷媒配管（補助配管）
４０，１４０  電装品箱
【先行技術文献】
【特許文献】
【００５５】
【特許文献１】特開平９−７９６５８号公報
【図１】
2012207801.tif 000003
【図２】
2012207801.tif 000004
【図３】
2012207801.tif 000005
【図４】
2012207801.tif 000006
【図５】
2012207801.tif 000007
【図６】
2012207801.tif 000008
【図７】
2012207801.tif 000009
【図８】
2012207801.tif 000010
【図９】
2012207801.tif 000011